(57)【要約】  充放電制御装置（１）は、発電設備で発電される発電電力と系統電源から供給される系統電力との少なくとも一方を蓄電装置へ供給することにより蓄電装置を充電する充電モードと、蓄電装置を放電させて住戸内へ電力を供給する放電モードと、のいずれかの動作モードで動作する充放電装置（７）を制御する。充放電制御装置（１）は、発電電力を示す発電電力情報と系統電力を示す系統電力情報とを取得する電力取得部（１１１）と、蓄電装置の蓄電量を示す蓄電量情報を取得する蓄電量取得部（１１２）と、電力取得部（１１１）が取得した発電電力情報と系統電力情報とに基づいて、蓄電装置について発電設備での発電電力を利用して蓄えられた電気の割合を示す発電利用蓄電量割合を算出する蓄電量割合算出部（１１３）と、発電利用蓄電量割合に基づいて、放電指令情報を充放電装置（７）へ出力する指令部（１１７）と、を備える。
2021038683.tif 000002
【特許請求の範囲】
【請求項１】
発電設備で発電される発電電力と系統電源から供給される系統電力との少なくとも一方を少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置を制御する充放電制御装置であって、
前記発電電力を示す発電電力情報と前記系統電力を示す系統電力情報とを取得する電力取得部と、
前記少なくとも１つの蓄電装置それぞれの蓄電量を示す蓄電量情報を取得する蓄電量取得部と、
前記電力取得部が取得した前記発電電力情報と前記系統電力情報とに基づいて、前記少なくとも１つの蓄電装置について前記発電電力を利用して蓄えられた電気の発電利用蓄電量割合を算出する蓄電量割合算出部と、
前記発電利用蓄電量割合に基づいて、前記充放電装置を前記放電モードで動作させるための放電指令情報を前記充放電装置へ出力する指令部と、を備える、
充放電制御装置。
【請求項２】
前記指令部は、前記系統電源から前記電力消費地へ電力が供給され且つ前記少なくとも１つの蓄電装置の前記発電利用蓄電量割合が０よりも大きい場合、前記放電指令情報を前記充放電装置へ出力する、
請求項１に記載の充放電制御装置。
【請求項３】
前記指令部は、前記発電利用蓄電量割合に基づいて、前記充放電装置を前記充電モードで動作させるための充電指令情報を前記充放電装置へ出力する、
請求項１または２に記載の充放電制御装置。
【請求項４】
前記指令部は、前記発電設備から前記電力消費地へ電力が供給されている場合、前記充電指令情報を前記充放電装置へ出力する、
請求項１から３のいずれか１項に記載の充放電制御装置。
【請求項５】
前記指令部は、前記発電利用蓄電量割合に基づいて、前記充放電装置を停止させるための停止指令情報を前記充放電装置へ出力する、
請求項１から４のいずれか１項に記載の充放電制御装置。
【請求項６】
前記少なくとも１つの蓄電装置は、第１蓄電装置と第２蓄電装置とを含み、
前記指令部は、前記系統電源から前記電力消費地へ電力が供給され且つ前記第１蓄電装置の前記発電利用蓄電量割合が０よりも大きい場合、前記第１蓄電装置を放電させる放電モードで前記充放電装置を動作させる放電指令情報を前記充放電装置へ送信し、前記系統電源から前記電力消費地へ電力が供給され且つ前記第１蓄電装置の前記発電利用蓄電量割合が０であるとともに、前記第２蓄電装置の前記発電利用蓄電量割合が０よりも大きい場合、前記第２蓄電装置を放電させる放電モードで前記充放電装置を動作させる放電指令情報を前記充放電装置へ出力する、
請求項１に記載の充放電制御装置。
【請求項７】
前記指令部は、前記発電設備から前記電力消費地へ電力が供給されている場合、前記発電電力が前記第１蓄電装置の第１充電定格容量と前記第２蓄電装置の第２充電定格容量との和以上であるとき、前記第１蓄電装置を充電する充電モードで前記充放電装置を動作させる充電指令情報を前記充放電装置へ出力する、
請求項６に記載の充放電制御装置。
【請求項８】
前記指令部は、前記発電設備から前記電力消費地へ電力が供給されている場合、前記発電電力が前記第２充電定格容量未満であるとき、前記第１蓄電装置を放電させる放電モードで前記充放電装置を動作させる放電指令情報を前記充放電装置へ出力する、
請求項７に記載の充放電制御装置。
【請求項９】
前記指令部は、前記発電設備から前記電力消費地へ電力が供給されている場合、前記発電電力が前記第２充電定格容量以上であるとき、前記第２蓄電装置を充電する充電モードで前記充放電装置を動作させる充電指令情報を前記充放電装置へ出力する、
請求項７または８に記載の充放電制御装置。
【請求項１０】
前記指令部は、前記発電設備から前記電力消費地へ電力が供給されている場合、前記発電電力が前記第２充電定格容量未満であり且つ前記充放電装置が前記第１蓄電装置の放電を回避しているとともに、前記第２蓄電装置の前記発電利用蓄電量割合が０よりも大きいとき、前記第２蓄電装置を放電させる放電モードで前記充放電装置を動作させる放電指令情報を前記充放電装置へ出力する、
請求項７から９のいずれか１項に記載の充放電制御装置。
【請求項１１】
前記少なくとも１つの蓄電装置は、電気自動車に搭載されるバッテリを含む、
請求項１から１０のいずれか１項に記載の充放電制御装置。
【請求項１２】
前記少なくとも１つの蓄電装置は、前記電力消費地に設置される定置蓄電池を含む、
請求項１から１１のいずれか１項に記載の充放電制御装置。
【請求項１３】
発電設備で発電される発電電力と系統電源から供給される系統電力との少なくとも一方を少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置と、
前記発電電力を示す発電電力情報と前記系統電力を示す系統電力情報とを取得する電力取得部と、
前記少なくとも１つの蓄電装置それぞれの蓄電量を示す蓄電量情報を取得する蓄電量取得部と、
前記電力取得部が取得した前記発電電力情報と前記系統電力情報とに基づいて、前記少なくとも１つの蓄電装置について前記発電電力を利用して蓄えられた電気の発電利用蓄電量割合を算出する蓄電量割合算出部と、
前記発電利用蓄電量割合に基づいて、前記充放電装置を前記放電モードで動作させるための放電指令情報を前記充放電装置へ出力する指令部と、を備える、
充放電システム。
【請求項１４】
表示部を有する端末装置を更に備え、
前記端末装置は、
前記蓄電量割合算出部が算出した前記発電利用蓄電量割合を示す発電利用蓄電量割合情報を取得する蓄電量割合取得部と、
前記発電利用蓄電量割合情報を前記表示部に表示させる表示制御部と、を有する、
請求項１３に記載の充放電システム。
【請求項１５】
発電設備で発電される発電電力と系統電源から供給される系統電力との少なくとも一方を少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置を制御する充放電制御方法であって、
前記発電電力を示す発電電力情報と前記系統電力を示す系統電力情報とを取得するステップと、
前記少なくとも１つの蓄電装置それぞれの蓄電量を示す蓄電量情報を取得するステップと、
取得した前記発電電力情報と前記系統電力情報とに基づいて、前記少なくとも１つの蓄電装置について前記発電電力を利用して蓄えられた電気の発電利用蓄電量割合を算出するステップと、
前記発電利用蓄電量割合に基づいて、前記充放電装置を前記放電モードで動作させるための放電指令情報を前記充放電装置へ出力するステップと、を含む、
充放電制御方法。
【請求項１６】
コンピュータを、
発電設備で発電される発電電力を示す発電電力情報と系統電源から供給される系統電力を示す系統電力情報とを取得する電力取得部、
少なくとも１つの蓄電装置それぞれの蓄電量を示す蓄電量情報を取得する蓄電量取得部、
前記電力取得部が取得した前記発電電力情報と前記系統電力情報とに基づいて、前記少なくとも１つの蓄電装置について前記発電電力を利用して蓄えられた電気の発電利用蓄電量割合を算出する蓄電量割合算出部、
前記発電利用蓄電量割合に基づいて、前記発電電力と前記系統電力との少なくとも一方を前記少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置を、前記放電モードで動作させるための放電指令情報を前記充放電装置へ出力する指令部、
として機能させるためのプログラム。
【発明の詳細な説明】
【技術分野】
【０００１】
本発明は、充放電制御装置、充放電システム、充放電制御方法およびプログラムに関する。
【背景技術】
【０００２】
太陽光発電パネルの発電量に余裕がある場合、太陽光発電パネルで発電された電力を電気自動車のバッテリへ供給し、太陽光発電パネルが発電していない場合であって且つ電気自動車のバッテリに余力電力量がある場合、バッテリに充電された電力を家庭内負荷へ供給する電力マネジメントシステムが提案されている（例えば特許文献１参照）。
【先行技術文献】
【特許文献】
【０００３】
【特許文献１】特開２００１−８３８０号公報
【発明の概要】
【発明が解決しようとする課題】
【０００４】
しかしながら、特許文献１に記載された電力マネジメントシステムでは、系統電源から供給される電力により電気自動車のバッテリに充電された電力が家庭内負荷に供給される場合、系統電源から購入する電気量の削減は実現できない。【０００５】
本発明は、上記事由に鑑みてなされたものであり、系統電源から電力消費地への供給電力を削減できる充放電制御装置、充放電システム、充放電制御方法およびプログラムを提供することを目的とする。
【課題を解決するための手段】
【０００６】
上記目的を達成するため、本発明に係る制御装置は、
発電設備で発電される発電電力と系統電源から供給される系統電力との少なくとも一方を少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置を制御する充放電制御装置であって、
前記発電電力を示す発電電力情報と前記系統電力を示す系統電力情報とを取得する電力取得部と、
前記少なくとも１つの蓄電装置それぞれの蓄電量を示す蓄電量情報を取得する蓄電量取得部と、
前記電力取得部が取得した前記発電電力情報と前記系統電力情報とに基づいて、前記少なくとも１つの蓄電装置について前記発電電力を利用して蓄えられた電気の割合である発電利用蓄電量割合を算出する蓄電量割合算出部と、
前記発電利用蓄電量割合に基づいて、前記充放電装置を前記放電モードで動作させるための放電指令情報を前記充放電装置へ送信する指令部と、を備える。
【発明の効果】
【０００７】
本発明によれば、蓄電量割合算出部が、発電電力情報と系統電力情報とに基づいて、少なくとも１つの蓄電装置それぞれについて発電電力を利用して蓄えられた電気の割合である発電利用蓄電量割合を算出する。そして、指令部が、算出された発電利用蓄電量割合に基づいて、放電指令情報を充放電装置へ出力する。これにより、例えば指令部が少なくとも１つの蓄電装置それぞれについて発電利用蓄電量割合が０よりも大きい場合、放電指令情報を充放電装置へ出力することにより少なくとも１つの蓄電装置を放電させることで、発電設備で発電して得られる電気を優先的に活用することができる。そして、発電設備で発電して得られる電気を優先的に活用することにより、系統電源から電力消費地へ供給される電力を削減できる。
【図面の簡単な説明】
【０００８】
【図１】本発明の実施の形態１に係る充放電システムの概略構成図
【図２】実施の形態１に係る充放電装置の構成図
【図３】実施の形態１に係る充放電制御装置のハードウェア構成を示すブロック図
【図４】実施の形態１に係る充放電制御装置の機能構成を示すブロック図
【図５Ａ】実施の形態１に係る端末装置のハードウェア構成を示すブロック図
【図５Ｂ】実施の形態１に係る端末装置の機能構成を示すブロック図
【図６】実施の形態１に係る端末装置に表示される操作画面画像の一例を示す図
【図７】実施の形態１に係る充放電制御装置が実行する充放電制御処理の流れの一例を示すフローチャート
【図８】実施の形態２に係る充放電システムの概略構成図
【図９】実施の形態２に係る充放電装置の構成図
【図１０】実施の形態２に係る充放電制御装置の機能構成を示すブロック図
【図１１】実施の形態２に係る充放電制御装置が実行する蓄電装置充放電制御処理の流れの一例を示すフローチャート
【図１２】実施の形態２に係る充放電制御装置が実行するバッテリ充放電制御処理の流れの一例を示すフローチャート
【発明を実施するための形態】
【０００９】
（実施の形態１）
以下、本発明の実施の形態に係る充放電制御装置について、図面を参照しながら説明する。本実施の形態に係る充放電制御装置は、充電モードと放電モードとのいずれかの動作モードで動作する充放電装置を制御する。ここで、充電モードは、発電設備で発電される発電電力と系統電源から供給される系統電力との少なくとも一方を蓄電装置へ供給することにより蓄電装置を充電する動作モードである。また、放電モードは、蓄電装置を放電させて電力消費地へ電力を供給する動作モードである。そして、充放電制御装置は、発電設備の発電電力を示す発電電力情報と系統電源から供給される系統電力を示す系統電力情報とを取得する電力取得部と、蓄電装置の蓄電量を示す蓄電量情報を取得する蓄電量取得部と、を備える。また、充放電制御装置は、更に、電力取得部が取得した発電電力情報と系統電力情報とに基づいて、蓄電装置について発電設備での発電電力を利用して蓄えられた電気の割合である発電利用蓄電量割合を算出する蓄電量割合算出部と、算出された発電利用蓄電量割合に基づいて、放電指令情報を充放電装置へ送信する指令部と、を備える。ここで、放電指令情報は、充放電装置を前述の放電モードで動作させるための指令情報である。
【００１０】
本実施の形態に係る充放電システムは、例えば図１に示すように、発電設備４と、蓄電装置８と、が設置された電力消費地である建物Ｈ１に設置される。また、建物Ｈ１には、発電設備４、系統電源１００または蓄電装置８から供給される電力を建物Ｈ１内に配置された複数の電気機器６（図１では１つだけ図示している）へ供給する分電盤５が設置されている。系統電源１００は、電力事業者により提供される。発電設備４は、例えば自然エネルギである太陽光によって発電する太陽電池モジュールと、電力変換装置と、を有する。ここで、電力変換装置は、例えば太陽電池モジュールから出力される直流を電圧変換するＤＣ−ＤＣコンバータ（図示せず）と、ＤＣ−ＤＣコンバータから出力される直流を交流に変換して出力するＡＣ−ＤＣコンバータ（図示せず）と、を有する。
【００１１】
分電盤５は、電力線Ｄ１を介して系統電源１００に接続され、電力線Ｄ２を介して発電設備４に接続され、電力線Ｄ３を介して複数の電気機器６それぞれに接続されている。そして、系統電源１００から分電盤５へ電力線Ｄ１を通じて電力が供給され、発電設備４から分電盤５へ電力線Ｄ２を通じて電力が供給される。また、分電盤５から電気機器６へ電力線Ｄ３を通じて電力が供給される。複数の電気機器６は、例えば、エアコン、照明器、床暖房システム、冷蔵庫、ＩＨ（Induction Heating）調理器、テレビ等であり、分電盤５から交流電力の供給を受けて動作する。ここで、系統電源１００から分電盤５へ供給される電力は、建物Ｈ１の利用者が電気事業者から購入した電力（以下、「買電電力」と称する）に相当する。一方、発電設備４から分電盤５へ供給される電力は、発電設備４により発電された電力（以下、「発電電力」と称する。）に相当する。
【００１２】
本実施の形態に係る充放電システムは、蓄電装置８に接続された充放電装置７と、電力計測装置３と、端末装置２と、充放電制御装置１と、を備える。充放電装置７と電力計測装置３と端末装置２と充放電制御装置１とは、宅内ネットワークＮＷ１を介して互いに通信可能である。宅内ネットワークＮＷ１は、例えばＷｉ−Ｆｉ（登録商標）、Ｗｉ−ＳＵＮ（登録商標）、有線ＬＡＮ（Local Area Network）等の通信規格に基づいた通信方式に適合したものである。充放電装置７は、発電設備４で発電される発電電力と系統電源１００から供給される系統電力との少なくとも一方を蓄電装置８へ供給することにより蓄電装置８を充電する充電モードと、蓄電装置８を放電させて建物Ｈ１内へ電力を供給する放電モードと、のいずれかの動作モードで動作する。
【００１３】
充放電装置７は、例えば図２に示すように、パワーコンディショナ７１と、蓄電装置８の出力電圧を検出する電圧検出部７２と、電圧検出部７２により検出される電圧に基づいて蓄電装置８の蓄電量を算出する蓄電量算出部７３と、を有する。パワーコンディショナ７１は、電力線Ｄ４を介して分電盤５に接続され、電力線Ｄ５を介して蓄電装置８に接続されている。パワーコンディショナ７１は、例えば蓄電装置８に接続された双方向ＤＣ−ＤＣコンバータ（図示せず）と、前述の双方向ＤＣ−ＤＣコンバータと分電盤５との間に介在する双方向ＡＣ−ＤＣコンバータ（図示せず）と、を有する。また、パワーコンディショナ７１は、充放電制御装置１から入力される充電指令情報または放電指令情報に基づいて、双方向ＤＣ−ＤＣコンバータおよび双方向ＡＣ−ＤＣコンバータを制御するコンバータ制御部（図示せず）を有する。ここで、双方向ＤＣ−ＤＣコンバータは、充放電装置７が充電モードで動作する場合、ＡＣ−ＤＣコンバータから入力される直流電圧を降圧して蓄電装置８へ出力し、充放電装置７が放電モードで動作する場合、蓄電装置８から出力される直流電圧を昇圧して双方向ＡＣ−ＤＣコンバータへ出力する。また、双方向ＡＣ−ＤＣコンバータは、充放電装置７が充電モードで動作する場合、分電盤５から入力される交流を直流に変換して双方向ＤＣ−ＤＣコンバータへ出力し、充放電装置７が放電モードで動作する場合、双方向ＤＣ−ＤＣコンバータから出力される直流を交流に変換して分電盤５へ出力する。蓄電量算出部７３は、算出した蓄電装置８の蓄電量を示す蓄電量情報を、宅内ネットワークＮＷ１を介して充放電制御装置１へ送信する。
【００１４】
図１に戻って、電力計測装置３は、電力線Ｄ１、Ｄ２、Ｄ４それぞれに設けられた変流器ＣＴ１、ＣＴ２、ＣＴ４を有する。そして、電力計測装置３は、変流器ＣＴ１、ＣＴ２、ＣＴ４を介して、系統電源１００から分電盤５へ供給される電力、発電設備４から分電盤５へ供給される電力および分電盤５と蓄電装置８との間で授受される電力を計測する。
【００１５】
充放電制御装置１は、図３に示すように、ＣＰＵ（Central Processing Unit）１０１と、ＣＰＵ１０１の作業領域として使用される揮発性メモリである主記憶部１０２と、磁気ディスク、半導体フラッシュメモリ等の不揮発性メモリである補助記憶部１０３と、充放電装置７または端末装置２と通信するための通信インタフェース１０４と、計時部１０５と、これらを相互に接続するバス１０９と、を有する。補助記憶部１０３は、充放電制御装置１の各種機能を実現するためのプログラムを記憶する。通信インタフェース１０４は、前述の宅内ネットワークＮＷ１を介して、充放電装置７または端末装置２との間で通信する。計時部１０５は、現時点の日時を計時するＲＴＣ（Real Time Clock）として機能するものである。計時部１０５は、例えばクロック信号を生成する水晶発振子（図示せず）と、クロック信号を分周する分周回路（図示せず）と、水晶発振子を駆動する電力を供給する蓄電素子と、を有する。
【００１６】
ＣＰＵ１０１は、補助記憶部１０３が記憶するプログラムを主記憶部１０２に読み出して実行することにより、図４に示すように、電力取得部１１１、蓄電量取得部１１２、蓄電量割合算出部１１３、残量判定部１１４、電力判定部１１５、蓄電量割合判定部１１６、指令部１１７、蓄電量割合情報送信部１１８および時期判定部１１９として機能する。また、図３に示す補助記憶部１０３は、図４に示すように、電力情報記憶部１３１と、蓄電量記憶部１３２と、蓄電量割合記憶部１３３と、指令記憶部１３４と、を有する。電力情報記憶部１３１は、電力計測装置３により計測された発電設備４で発電される発電電力を示す発電電力情報と、系統電源１００から建物Ｈ１内へ供給される系統電力を示す系統電力情報と、をそれらが取得された日時を示す日時情報に対応づけて記憶する。また、電力情報記憶部１３１は、充放電装置７が充電モードで動作しているときに分電盤５から蓄電装置８へ供給される電力を示す充電電力情報を、それが取得された日時を示す日時情報と対応づけて記憶している。蓄電量記憶部１３２は、蓄電装置８の蓄電量を示す蓄電量情報を、それが取得された日時を示す日時情報と対応づけて記憶する。蓄電量割合記憶部１３３は、蓄電装置８について、発電設備４での発電電力を利用して蓄えられた電気の割合である発電利用蓄電量割合Ｒｇを示す発電利用蓄電量割合情報と、系統電源１００から供給される系統電力を利用して蓄えられた電気の割合である系統利用蓄電量割合を示す系統利用蓄電量割合情報と、を記憶する。指令記憶部１３４は、充放電装置７へ送信した充電指令情報または放電指令情報を、それらを送信した日時を示す日時情報に対応づけて記憶する。
【００１７】
電力取得部１１１は、予め設定された取得時間間隔で発電設備４での発電電力を示す発電電力情報と系統電源１００から供給される系統電力を示す系統電力情報とを取得する。ここで、取得時間は、例えば１ｍｉｎに設定することができる。そして、電力取得部１１１は、取得した発電電力情報および系統電力情報を、計時部１０５により計時される発電電力情報および系統電力情報を取得した日時を示す日時情報に対応づけて電力情報記憶部１３１に記憶させる。また、電力取得部１１１は、充放電装置７が充電モードで動作しているときに、前述の取得時間間隔で分電盤５から蓄電装置８へ供給される電力を示す充電電力情報を取得する。そして、電力取得部１１１は、取得した充電電力情報を、計時部１０５により計時される充電電力情報が取得された日時を示す日時情報と対応づけて電力情報記憶部１３１に記憶させる。
【００１８】
蓄電量取得部１１２は、充放電装置７から送信される蓄電装置８の蓄電量を示す蓄電量情報を取得する。そして、蓄電量取得部１１２は、取得した蓄電量情報を、計時部１０５により計時される蓄電量情報を取得した日時を示す日時情報に対応づけて電力情報記憶部１３１に記憶させる。
【００１９】
蓄電量割合算出部１１３は、電力取得部１１１が取得した発電電力情報と系統電力情報とに基づいて、蓄電装置８について発電設備４での発電電力を利用して蓄えられた電気の割合である発電蓄電量割合を算出する。また、蓄電量割合算出部１１３は、電力取得部１１１が取得した発電電力情報と系統電力情報とに基づいて、蓄電装置８について系統電源１００から供給される系統電力を利用して蓄えられた電気の割合である系統利用蓄電量割合も算出する。具体的には、蓄電量割合算出部１１３は、充放電装置７が充電モードで動作している場合において、分電盤５から充放電装置７へ供給される電力量を示す充電電力情報を、電力情報記憶部１３１から取得する。ここで、蓄電量割合算出部１１３は、指令記憶部１３４が記憶する充電指令情報が送信された日時を示す日時情報に基づいて、充放電装置７が充電モードで動作している時期を特定する。また、蓄電量割合算出部１１３は、充放電装置７が充電モードで動作している場合において、系統電源１００から分電盤５へ供給される電力量を示す系統電力情報を、電力情報記憶部１３１から取得する。
【００２０】
次に、蓄電量割合算出部１１３は、取得した充電電力情報が示す電力量から、取得した系統電力情報が示す電力量を差し引いて得られる電力量を、発電設備４から蓄電装置８へ供給された電力量として算出する。そして、蓄電量割合算出部１１３は、算出した電力量の、充電電力情報が示す電力量に対する割合を、発電利用蓄電量割合Ｒｇとして算出する。また、蓄電量割合算出部１１３は、系統電力情報が示す電力量の、充電電力情報が示す電力量に対する割合を、系統利用蓄電量割合として算出する。そして、蓄電量割合算出部１１３は、算出した発電利用蓄電量割合Ｒｇを示す発電利用蓄電量割合情報と系統利用蓄電量割合を示す系統利用蓄電量割合情報とを蓄電量割合記憶部１３３に記憶させる。
【００２１】
残量判定部１１４は、蓄電量記憶部１３２が記憶する蓄電量情報が示す蓄電装置８の蓄電量が、予め設定された蓄電量下限値以下であるか否かを判定する。また、残量判定部１１４は、蓄電装置８の蓄電量が蓄電量上限値以下であるか否かを判定する。ここで、蓄電量下限値は、例えば蓄電装置８の最大蓄電量の５％に相当する蓄電量に設定され、蓄電量上限値は、例えば蓄電装置８の最大蓄電量の９５％に相当する蓄電量に設定されてもよい。
【００２２】
電力判定部１１５は、電力情報記憶部１３１が記憶する系統電力情報を参照して、建物Ｈ１への系統電力の供給、即ち、いわゆる買電が発生しているか否かを判定する。また、電力判定部１１５は、電力情報記憶部１３１が記憶する発電電力情報を参照して、発電電力が発生しているか否か、即ち、発電設備４において発電中であるか否かを判定する。
【００２３】
蓄電量割合判定部１１６は、蓄電量割合記憶部１３３が記憶する前述の発電利用蓄電量割合情報を参照して、発電利用蓄電量割合Ｒｇが０よりも大きいか否かを判定する。
【００２４】
指令部１１７は、発電利用蓄電量割合Ｒｇおよび系統利用蓄電量割合に基づいて、充放電装置７を前述の充電指令情報、放電指令情報または動作を停止するよう指令する停止指令情報を充放電装置７へ送信する。また、指令部１１７は、充放電装置７へ送信した充電指令情報、放電指令情報または停止指令情報を、計時部１０５により計時されるそれらを送信した日時を示す日時情報に対応づけて指令記憶部１３４に記憶させる。
【００２５】
蓄電量割合情報送信部１１８は、蓄電量割合記憶部１３３から、蓄電装置８の発電利用蓄電量割合情報と系統利用蓄電量割合情報とを取得する。そして、蓄電量割合情報送信部１１８は、取得した発電利用蓄電量割合情報と系統利用蓄電量割合情報とを、宅内ネットワークＮＷ１を介して端末装置２へ送信する。時期判定部１１９は、計時部１０５により計時される現時点の時刻に基づいて、予め設定された充放電判定時期が到来したか否かを判定する。この充放電判定時期は、例えば５ｍｉｎ間隔で到来するように設定することができる。
【００２６】
端末装置２は、例えばスマートフォン、タブレット端末、携帯電話等であり、図５Ａに示すように、ＣＰＵ２０１と、ＣＰＵ２０１の作業領域として使用される揮発性メモリである主記憶部２０２と、磁気ディスク、半導体フラッシュメモリ等の不揮発性メモリである補助記憶部２０３と、表示部２０４と、入力部２０５と、充放電制御装置１と通信するための通信インタフェース２０６と、これらを相互に接続するバス２０９と、を有する。表示部２０４は、液晶ディスプレイ、有機ＥＬ（Electroluminescence)ディスプレイ等を有し、ＣＰＵ２０１から入力された各種情報を表示する。入力部２０５は、例えば表示部２０４に重ねて配置されたタッチパッドである。入力部２０５は、ユーザの操作に応じた各種操作情報を受け付けて、受け付けた操作情報をＣＰＵ２０１へ出力する。補助記憶部２０３は、ＣＰＵ２０１により実行される各種プログラムを記憶する。通信インタフェース２０６は、宅内ネットワークＮＷ１に接続されている。
【００２７】
ＣＰＵ２０１は、補助記憶部２０３から主記憶部２０２に読み出したプログラムを実行することにより、図５Ｂに示すように、受付部２１１、表示制御部２１２および蓄電量割合取得部２１３として機能する。また、図５Ａに示す補助記憶部２０３は、図５Ｂに示すように、画像記憶部２３１と、蓄電量割合記憶部２３２と、を有する。画像記憶部２３１は、表示部２０４に表示される複数種類の操作画面画像を示す画像情報を記憶する。蓄電量割合記憶部２３２は、前述の発電利用蓄電量割合情報と系統利用蓄電量割合情報とを記憶する。受付部２１１は、ユーザが入力部２０５に対して行った操作に応じた操作情報を受け付ける。そして、受付部２１１は、受け付けた操作情報を表示制御部２１２または蓄電量割合取得部２１３へ出力する。表示制御部２１２は、画像記憶部２３１から画像情報を取得するとともに、蓄電量割合記憶部２３２から発電利用蓄電量割合情報および系統利用蓄電量割合情報を取得して、発電利用蓄電量割合Ｒｇと系統利用蓄電量割合とをユーザに通知する操作画面画像を表示部２０４に表示させる。蓄電量割合取得部２１３は、充放電制御装置１から送信される発電利用蓄電量割合情報と系統利用蓄電量割合情報とを取得し、取得した発電利用蓄電量割合情報と系統利用蓄電量割合情報とを蓄電量割合記憶部２３２に記憶させる。
【００２８】
ここで、表示制御部２１２は、例えば図６に示すような、ユーザに発電利用蓄電量割合Ｒｇおよび系統利用蓄電量割合を通知するための操作画面画像ＧＡ１を表示部２０４に表示させる。操作画面画像ＧＡ１は、蓄電装置８を模したオブジェクト画像ＧＡＢと、系統利用蓄電量割合を示す領域Ａ１と、発電利用蓄電量割合Ｒｇを示す領域Ａ２と、を含む。そして、各領域Ａ１、Ａ２には、系統利用蓄電量割合を数値で示すメッセージＭ１と、発電利用蓄電量割合Ｒｇを数値で示すメッセージＭ２と、が含まれている。
【００２９】
次に、本実施の形態に係る充放電制御装置１が実行する充放電制御処理について、図７を参照しながら説明する。なお、この充放電制御処理は、例えば充放電制御装置１へ電源が投入されたことを契機として開始される。また、電力取得部１１１は、予め設定された取得時間間隔で、電力計測装置３から発電電力情報および系統電力情報を取得し、取得した発電電力情報および系統電力情報を、それらを取得した日時情報に対応づけて電力情報記憶部１３１に記憶させることを充放電制御処理と並行して実行しているものとする。更に、蓄電量取得部１１２は、予め設定された取得時間間隔で、充放電装置７から蓄電量情報を取得し、取得した蓄電量情報を、それを取得した日時情報に対応づけて蓄電量記憶部１３２に記憶させることを充放電制御処理と並行して実行しているものとする。また、蓄電量割合算出部１１３は、前述の取得時間間隔で、発電利用蓄電量割合Ｒｇと系統利用蓄電量割合とを算出する処理を充放電制御処理と並行して実行しているものとする。そして、蓄電量割合記憶部１３３が記憶する発電利用蓄電量割合情報と系統利用蓄電量割合情報とが、前述の取得時間間隔で更新されていくものとする。
【００３０】
まず、時期判定部１１９は、計時部１０５により計時される現時点の時刻に基づいて、前述の充放電判定時期が到来したか否かを判定する（ステップＳ１０１）。時期判定部１１９は、充放電判定時期が到来しない限り（ステップＳ１０１：Ｎｏ）、ステップＳ１０１の処理を繰り返し実行する。一方、時期判定部１１９により充放電判定時期が到来したと判定されると（ステップＳ１０１：Ｙｅｓ）、残量判定部１１４は、蓄電量記憶部１３２が記憶する蓄電量情報が示す蓄電装置８の蓄電量Ｑｒが、予め設定された蓄電量下限値Ｑｒｍｉｎ以下であるか否かを判定する（ステップＳ１０２）。ここで、残量判定部１１４により蓄電装置８の蓄電量Ｑｒが蓄電量下限値Ｑｒｍｉｎ以下であると判定されると（ステップＳ１０２：Ｙｅｓ）、後述のステップＳ１０７の処理が実行される。
【００３１】
一方、残量判定部１１４により蓄電装置８の蓄電量Ｑｒが蓄電量下限値Ｑｒｍｉｎよりも大きいと判定されると（ステップＳ１０２：Ｎｏ）、電力判定部１１５は、電力情報記憶部１３１が記憶する系統電力情報を参照して、建物Ｈ１への系統電力の供給、即ち、いわゆる買電が発生しているか否かを判定する（ステップＳ１０３）。電力判定部１１５は、いわゆる買電が発生していないと判定すると（ステップＳ１０３：Ｎｏ）、電力情報記憶部１３１が記憶する発電電力情報を参照して、発電電力が発生している、即ち、発電設備４において発電中であるか否かを判定する（ステップＳ１０４）。ここで、電力判定部１１５が、発電設備４において発電中でないと判定したとする（ステップＳ１０４：Ｎｏ）。この場合、指令部１１７は、充放電装置７の動作を停止するための停止指令情報を生成して充放電装置７へ送信する（ステップＳ１０５）。このとき、充放電装置７は、停止指令情報を受信すると、パワーコンディショナ７１の動作を停止させる。次に、再びステップＳ１０１の処理が実行される。
【００３２】
一方、電力判定部１１５が、発電設備４において発電中であると判定したとする（ステップＳ１０４：Ｙｅｓ）。この場合、残量判定部１１４は、蓄電装置８の蓄電量Ｑｒが蓄電量上限値Ｑｒｍａｘ以下であるか否かを判定する（ステップＳ１０６）。残量判定部１１４が、蓄電装置８の蓄電量Ｑｒが蓄電量上限値Ｑｒｍａｘを超えていると判定すると（ステップＳ１０６：Ｎｏ）、ステップＳ１０５の処理が実行される。一方、残量判定部１１４により蓄電装置８の蓄電量Ｑｒが蓄電量上限値Ｑｒｍａｘ以下であると判定されると（ステップＳ１０６：Ｙｅｓ）、指令部１１７は、充放電装置７を充電モードで動作させるための充電指令情報を生成して充放電装置７へ送信する（ステップＳ１０７）。このとき、充放電装置７は、充電指令情報を受信すると、パワーコンディショナ７１を充電モードで動作させる。これにより、充放電装置７は、発電設備４での発電電力のみを利用して蓄電装置８を充電する。続いて、再びステップＳ１０１の処理が実行される。
【００３３】
また、電力判定部１１５が、ステップＳ１０３において、いわゆる買電が発生していると判定したとする（ステップＳ１０３：Ｙｅｓ）。この場合、蓄電量割合判定部１１６は、蓄電量割合記憶部１３３が記憶する発電利用蓄電量割合情報を参照して、発電利用蓄電量割合Ｒｇが０よりも大きいか否かを判定する（ステップＳ１０８）。ここで、蓄電量割合判定部１１６が、発電利用蓄電量割合Ｒｇが０であると判定すると（ステップＳ１０８：Ｎｏ）、前述のステップＳ１０５の処理が実行される。一方、蓄電量割合判定部１１６が、発電利用蓄電量割合Ｒｇが０よりも大きいと判定すると（ステップＳ１０８：Ｙｅｓ）、指令部１１７は、充放電装置７を放電モードで動作させるための放電指令情報を生成して充放電装置７へ送信する（ステップＳ１０９）。このとき、充放電装置７は、放電指令情報を受信すると、パワーコンディショナ７１を放電モードで動作させる。これにより、充放電装置７は、蓄電装置８に蓄電された電気を分電盤５へ供給する。その後、再びステップＳ１０１の処理が実行される。
【００３４】
以上説明したように、本実施の形態に係る充放電制御装置１によれば、蓄電量割合算出部１１３が、発電電力情報と系統電力情報とに基づいて、蓄電装置８について発電利用蓄電量割合Ｒｇおよび系統利用蓄電量割合を算出する。そして、指令部１１７が、算出された発電利用蓄電量割合Ｒｇと系統利用蓄電量割合とに基づいて、放電指令情報を充放電装置７へ送信する。また、指令部１１７は、蓄電装置８の発電利用蓄電量割合Ｒｇが０以上の場合、放電指令情報を充放電装置７へ送信することにより蓄電装置８を放電させる。これにより、発電設備４で発電して得られる電気を優先的に活用することができる。そして、発電設備４で発電して得られる電気を優先的に活用することにより、系統電源１００から建物Ｈ１へ供給される電力を削減できる。
【００３５】
また、本実施の形態に係る指令部１１７は、発電設備４から建物Ｈ１へ発電電力が供給されている場合、充電指令情報を充放電装置７へ送信する。これにより、発電設備４での発電電力を利用して蓄電装置８が充電される頻度を高めることができるので、蓄電装置８の放電時における発電電力の利用効率を高めることができる。
【００３６】
（実施の形態２）
本実施の形態に係る充放電制御装置は、第１蓄電装置を充放電する第１充放電装置と、第２蓄電装置を充放電する第２充放電装置と、を各別に制御する点で、実施の形態１に係る充放電制御装置と相違する。本実施の形態に係る充放電システムは、例えば図８に示すように、蓄電装置２０８１を充放電する第１充放電装置２７０１と、バッテリ２０８２に接続された状態でバッテリ２０８２を充放電する第２充放電装置２７０２と、を備える。なお、図８において、実施の形態１と同様の構成については図１と同一の符号を付している。蓄電装置２０８１は、建物Ｈ２に設置された定置蓄電池である第１蓄電装置である。バッテリ２０８２は、電気自動車ＥＶ１に搭載された第２蓄電装置である。第２充放電装置２０７２は、電力線Ｄ５２およびアダプタ２０８３を介してバッテリ２０８２に電気的に接続された状態と、バッテリ２０８２に接続されていない状態と、をとりうる。また、第１充放電装置２７０１と、第２充放電装置２７０２と、第１充放電装置２７０１および第２充放電装置２７０２を制御する充放電制御装置２００１とは、宅内ネットワークＮＷ１を介して互いに通信可能である。
【００３７】
第１充放電装置２７０１は、発電設備４で発電される発電電力と系統電源１００から供給される系統電力との少なくとも一方を蓄電装置２０８１へ供給することにより蓄電装置２０８１を充電する充電モードと、蓄電装置２０８１を放電させて建物Ｈ２内へ電力を供給する放電モードと、のいずれかの動作モードで動作する。第２充放電装置２７０２は、アダプタ２０８３を介して電気自動車ＥＶのバッテリ２０８２に接続された状態で、発電設備４で発電される発電電力と系統電源１００から供給される系統電力との少なくとも一方をバッテリ２０８２へ供給することによりバッテリ２０８２を充電する充電モードと、バッテリ２０８２を放電させて建物Ｈ２内へ電力を供給する放電モードと、のいずれかの動作モードで動作する。
【００３８】
第１充放電装置２７０１は、例えば図９に示すように、パワーコンディショナ７１と電圧検出部７２と蓄電量算出部７３とを有する。なお、図９において、実施の形態１と同様の構成については図２と同一の符号を付している。第１充放電装置のパワーコンディショナ７１は、電力線Ｄ４１を介して分電盤２００５に接続され、電力線Ｄ５１を介して蓄電装置２０８１に接続されている。第２充放電装置２７０２は、パワーコンディショナ７１と電圧検出部７２と蓄電量算出部７３と接続判定部２０７４とを有する。接続判定部２０７４は、電圧検出部７２により検出される電圧に基づいて、アダプタ２０８３がバッテリ２０８２に接続されているか否かを判定する。そして、接続判定部２０７４は、アダプタ２０８３にバッテリ２０８２が接続されると、接続検知情報を充放電制御装置２００１へ送信し、アダプタ２０８３とバッテリ２０８２との接続状態が解除されると、解除検知情報を充放電制御装置２００１へ送信する。第２充放電装置２７０２のパワーコンディショナ７１は、電力線Ｄ４２を介して分電盤２００５に接続され、電力線Ｄ５２を介してアダプタ２０８３に接続されている。
【００３９】
図８に戻って、電力計測装置２００３は、電力線Ｄ１、Ｄ２、Ｄ４１、Ｄ４２それぞれに設けられた変流器ＣＴ１、ＣＴ２、ＣＴ４１、ＣＴ４２を有する。そして、電力計測装置２００３は、変流器ＣＴ１、ＣＴ２、ＣＴ４１、ＣＴ４２を介して、系統電源１００から分電盤２００５へ供給される電力、発電設備４から分電盤２００５へ供給される電力、分電盤２００５と蓄電装置２０８１との間で授受される電力および分電盤２００５とバッテリ２０８２との間で授受される電力を計測する。
【００４０】
充放電制御装置２００１のハードウェア構成は、実施の形態１で説明した充放電制御装置１のハードウェア構成と同様である。そして、ＣＰＵは、補助記憶部が記憶するプログラムを主記憶部に読み出して実行することにより、図１０に示すように、電力取得部２１１１、蓄電量取得部２１１２、蓄電量割合算出部２１１３、残量判定部２１１４、電力判定部２１１５、蓄電量割合判定部２１１６、指令部２１１７、蓄電量割合情報送信部２１１８、時期判定部１１９およびバッテリ接続判定部２１１９として機能する。なお、図１０において、実施の形態１と同様の構成については図４と同一の符号を付している。また、補助記憶部は、電力情報記憶部２１３１と、蓄電量記憶部２１３２と、蓄電量割合記憶部２１３３と、指令記憶部２１３４と、を有する。電力情報記憶部２１３１は、電力計測装置３により計測された発電設備４で発電される発電電力を示す発電電力情報と、系統電源１００から建物Ｈ２内へ供給される系統電力を示す系統電力情報と、をそれらが取得された日時を示す日時情報に対応づけて記憶する。また、電力情報記憶部２１３１は、第１充放電装置２７０１が充電モードで動作しているときに分電盤２００５から蓄電装置２０８１へ供給される電力を示す充電電力情報を、それが取得された日時を示す日時情報と対応づけて記憶している。更に、電力情報記憶部２１３１は、充放電装置２７０２が充電モードで動作しているときに分電盤２００５からバッテリ２０８２へ供給される電力を示す充電電力情報を、それが取得された日時を示す日時情報と対応づけて記憶している。
【００４１】
蓄電量記憶部２１３２は、蓄電装置２０８１の蓄電量を示す蓄電量情報とバッテリ２０８２の蓄電量を示す蓄電量情報とを、それらが取得された日時を示す日時情報と対応づけて記憶する。蓄電量割合記憶部２１３３は、蓄電装置２０８１について、発電設備４での発電電力を利用して蓄えられた電気の蓄電量割合を示す第１発電利用蓄電量割合情報と、系統電源１００から供給される系統電力を利用して蓄えられた電気の蓄電量割合を示す第１系統利用蓄電量割合情報と、を記憶する。また、蓄電量割合記憶部２１３３は、バッテリ２０８２について、発電設備４での発電電力を利用して蓄えられた電気の蓄電量割合を示す第２発電利用蓄電量割合情報と、系統電源１００から供給される系統電力を利用して蓄えられた電気の蓄電量割合を示す第２系統利用蓄電量割合情報と、を記憶する。指令記憶部２１３４は、第１充放電装置２７０１および第２充放電装置２７０２それぞれへ送信した充電指令情報または放電指令情報を、それらを送信した日時を示す日時情報に対応づけて記憶する。
【００４２】
電力取得部２１１１は、予め設定された取得時間間隔で発電設備４での発電電力を示す発電電力情報と系統電源１００から供給される系統電力を示す系統電力情報とを取得する。そして、電力取得部２１１１は、取得した発電電力情報および系統電力情報を、発電電力情報および系統電力情報を取得した日時を示す日時情報に対応づけて電力情報記憶部２１３１に記憶させる。また、電力取得部２１１１は、第１充放電装置２７０１が充電モードで動作しているときに、前述の取得時間間隔で分電盤２００５から蓄電装置２０８１へ供給される電力を示す充電電力情報を取得する。そして、電力取得部２１１１は、取得した充電電力情報を、充電電力情報が取得された日時を示す日時情報と対応づけて電力情報記憶部２１３１に記憶させる。
【００４３】
蓄電量取得部２１１２は、第１充放電装置２７０１から送信される蓄電装置２０８１の蓄電量を示す蓄電量情報を取得する。また、蓄電量取得部２１１２は、第２充放電装置２７０２から送信されるバッテリ２０８２の蓄電量を示す蓄電量情報を取得する。そして、蓄電量取得部２１１２は、取得した蓄電量情報を、その蓄電量情報を取得した日時を示す日時情報に対応づけて蓄電量記憶部２１３２に記憶させる。
【００４４】
蓄電量割合算出部２１１３は、電力取得部２１１１が取得した発電電力情報と系統電力情報とに基づいて、蓄電装置２０８１についての第１発電利用蓄電量割合Ｒ１ｇとバッテリ２０８２についての第２発電利用蓄電量割合Ｒ２ｇとを算出する。また、蓄電量割合算出部２１１３は、電力取得部２１１１が取得した発電電力情報と系統電力情報とに基づいて、蓄電装置２０８１についての第１系統利用蓄電量割合とバッテリ２０８２についての系統利用蓄電量割合とを算出する。具体的には、蓄電量割合算出部２１１３は、蓄電装置２０８１に対応する前述の充電電力情報を電力情報記憶部２１３１から取得する。ここで、蓄電量割合算出部２１１３は、指令記憶部２１３４が記憶する充電指令情報が第１充放電装置２７０１へ送信された日時を示す日時情報に基づいて、第１充放電装置２７０１が充電モードで動作している時期を特定する。また、蓄電量割合算出部２１１３は、第１充放電装置２７０１が充電モードで動作している場合において、系統電源１００から分電盤２００５へ供給される電力を示す系統電力情報を、電力情報記憶部２１３１から取得する。
【００４５】
次に、蓄電量割合算出部２１１３は、取得した充電電力情報が示す電力から、取得した系統電力情報が示す電力を差し引いて得られる電力を、発電設備４から蓄電装置２０８１へ供給された電力として算出する。そして、蓄電量割合算出部２１１３は、算出した電力の、充電電力情報が示す電力に対する割合を、第１発電利用蓄電量割合Ｒ１ｇとして算出する。また、蓄電量割合算出部２１１３は、系統電力情報が示す電力の、充電電力情報が示す電力に対する割合を、第１系統利用蓄電量割合として算出する。そして、蓄電量割合算出部２１１３は、第１発電利用蓄電量割合Ｒ１ｇを示す第１発電利用蓄電量割合情報と第１系統利用蓄電量割合を示す第１系統利用蓄電量割合情報とを蓄電量割合記憶部２１３３に記憶させる。
【００４６】
また、蓄電量割合算出部２１１３は、バッテリ２０８２に対応する前述の充電電力情報を電力情報記憶部２１３１から取得する。更に、蓄電量割合算出部２１１３は、第２充放電装置２７０２が充電モードで動作している場合において、系統電源１００から分電盤２００５へ供給される電力を示す系統電力情報を、電力情報記憶部２１３１から取得する。次に、蓄電量割合算出部２１１３は、取得した充電電力情報が示す電力から、取得した系統電力情報が示す電力を差し引いて得られる電力を、発電設備４からバッテリ２０８２へ供給された電力として算出する。そして、蓄電量割合算出部２１１３は、算出した電力の、充電電力情報が示す電力に対する割合を、第２発電利用蓄電量割合Ｒ２ｇとして算出する。また、蓄電量割合算出部２１１３は、系統電力情報が示す電力の、充電電力情報が示す電力に対する割合を、第２系統利用蓄電量割合として算出する。そして、蓄電量割合算出部２１１３は、第２発電利用蓄電量割合Ｒ２ｇを示す第２発電利用蓄電量割合情報と第２系統利用蓄電量割合を示す第２系統利用蓄電量割合情報とを蓄電量割合記憶部２１３３に記憶させる。
【００４７】
残量判定部２１１４は、蓄電量記憶部２１３２が記憶する蓄電量情報が示す蓄電装置２０８１またはバッテリ２０８２の蓄電量が、予め設定された蓄電量下限値以下であるか否かを判定する。また、残量判定部２１１４は、蓄電装置２０８１またはバッテリ２０８２の蓄電量が蓄電量上限値以下であるか否かを判定する。ここで、蓄電装置２０８１についての蓄電量下限値は、例えば蓄電装置２０８１の最大蓄電量の５％に相当する蓄電量に設定され、蓄電装置２０８１についての蓄電量上限値は、例えば蓄電装置２０８１の最大蓄電量の９５％に相当する蓄電量に設定されてもよい。また、バッテリ２０８２についての蓄電量下限値は、例えばバッテリ２０８２の最大蓄電量の５％に相当する蓄電量に設定され、バッテリ２０８２についての蓄電量上限値は、例えばバッテリ２０８２の最大蓄電量の９５％に相当する蓄電量に設定されてもよい。ここで、残量判定部２１１４は、指令記憶部２１３４が記憶する第１充放電装置２７０１に対する充電指令情報、放電指令情報等の履歴を参照して、第１充放電装置２７０１が放電モードで動作中であると判定した場合、バッテリ２０８２の蓄電量が蓄電量上限値以下であるか否かを判定する。
【００４８】
電力判定部２１１５は、電力情報記憶部２１３１が記憶する系統電力情報を参照して、建物Ｈ２への系統電力の供給、即ち、いわゆる買電が発生しているか否かを判定する。また、電力判定部２１１５は、電力情報記憶部２１３１が記憶する発電電力情報を参照して、発電設備４での発電電力が予め設定された蓄電装置２０８１の第１充電定格容量Ｐ１ｒ以上であるか否か判定する。更に、電力判定部２１１５は、電力情報記憶部２１３１が記憶する発電電力情報を参照して、発電設備４での発電電力が前述の蓄電装置２０８１の第１充電定格容量Ｐ１ｒと予め設定されたバッテリ２０８２の第２充電定格容量Ｐ２ｒとの和に相当する電力以上であるか否か判定する。また、電力判定部２１１５は、発電設備４での発電電力Ｐｇがバッテリ２０８２の第２充電定格容量Ｐ２ｒ未満であるか否かを判定する。
【００４９】
蓄電量割合判定部２１１６は、蓄電量割合記憶部２１３３が記憶する第１発電利用蓄電量割合情報を参照して、第１発電利用蓄電量割合Ｒ１ｇが０よりも大きいか否かを判定する。また、蓄電量割合判定部２１１６は、蓄電量割合記憶部２１３３が記憶する第２発電利用蓄電量割合情報を参照して、第２発電利用蓄電量割合Ｒ２ｇが０よりも大きいか否かを判定する。ここで、蓄電量割合判定部２１１６は、指令記憶部２１３４が記憶する第１充放電装置２７０１に対する充電指令情報、放電指令情報等の履歴を参照して、第１充放電装置２７０１が放電モードで動作していないと判定すると、第２発電利用蓄電量割合Ｒ２ｇが０よりも大きいか否かを判定する。
【００５０】
指令部２１１７は、第１発電利用蓄電量割合Ｒ１ｇと第１系統利用蓄電量割合とに基づいて、前述の充電指令情報、放電指令情報または第１充放電装置２７０１の動作を停止させるための停止指令情報を生成して第１充放電装置２７０１へ送信する。また、指令部２１１７は、第２発電利用蓄電量割合Ｒ２ｇと第２系統利用蓄電量割合とに基づいて、前述の充電指令情報、放電指令情報または第２充放電装置２７０２の動作を停止させるための停止指令情報を生成して第２充放電装置２７０２へ送信する。更に、指令部２１１７は、第１充放電装置２７０１、第２充放電装置２７０２へ送信した充電指令情報、放電指令情報または停止指令情報を、計時部１０５により計時されるそれらを送信した日時を示す日時情報に対応づけて指令記憶部２１３４に記憶させる。
【００５１】
蓄電量割合情報送信部２１１８は、蓄電量割合記憶部２１３３から、第１発電利用蓄電量割合情報、第１系統利用蓄電量割合情報、第２発電利用蓄電量割合情報および第２系統利用蓄電量割合情報を取得する。そして、蓄電量割合情報送信部２１１８は、取得した第１発電利用蓄電量割合情報、第１系統利用蓄電量割合情報、第２発電利用蓄電量割合情報および第２系統利用蓄電量割合情報を、宅内ネットワークＮＷ１を介して端末装置２へ送信する。バッテリ接続判定部２１１９は、第２充放電装置２７０２から送信される接続検出情報または解除検出情報に基づいて、第２充放電装置２７０２とバッテリ２０８２との接続状態を判定する。具体的には、バッテリ接続判定部２１１９は、第２充放電装置２７０２から接続検出情報を取得後、解除検出情報を取得していない場合、バッテリ２０８２が第２充放電装置２７０２に電気的に接続されていると判定する。
【００５２】
次に、本実施の形態に係る充放電制御装置２００１が実行する蓄電装置充放電制御処理について、図１１を参照しながら説明する。なお、この蓄電装置充放電制御処理は、例えば充放電制御装置２００１へ電源が投入されたことを契機として開始される。また、電力取得部２１１１は、予め設定された取得時間間隔で、電力計測装置３から発電電力情報、系統電力情報および充電電力情報を取得し、取得した発電電力情報、系統電力情報および充電電力情報を、それらを取得した日時情報に対応づけて電力情報記憶部２１３１に記憶させる処理を充放電制御処理と並行して実行しているものとする。更に、蓄電量取得部２１１２は、予め設定された取得時間間隔で、第１充放電装置２７０１から蓄電量情報を取得し、取得した蓄電量情報を、それを取得した日時情報に対応づけて蓄電量記憶部２１３２に記憶させる処理を充放電制御処理と並行して実行しているものとする。更に、蓄電量取得部２１１２は、第２充放電装置２７０２とバッテリ２０８２とが電気的に接続されている場合、予め設定された取得時間間隔で、第２充放電装置２７０２から蓄電量情報を取得し、取得した蓄電量情報を、それを取得した日時情報に対応づけて蓄電量記憶部２１３２に記憶させる処理を充放電制御処理と並行して実行しているものとする。
【００５３】
また、蓄電量割合算出部２１１３は、前述の取得時間間隔で、第１発電利用蓄電量割合Ｒ１ｇと第１系統利用蓄電量割合とを算出する処理を充放電制御処理と並行して実行しているものとする。更に、蓄電量割合算出部２１１３は、第２充放電装置２７０２とバッテリ２０８２とが電気的に接続されている場合、前述の取得時間間隔で、第２発電利用蓄電量割合Ｒ２ｇと第２系統利用蓄電量割合とを算出する処理を充放電制御処理と並行して実行しているものとする。
【００５４】
まず、時期判定部１１９は、計時部１０５により計時される現時点の時刻に基づいて、前述の充放電判定時期が到来したか否かを判定する（ステップＳ２１０１）。時期判定部１１９は、充放電判定時期が到来しない限り（ステップＳ２１０１：Ｎｏ）、ステップＳ２１０１の処理を繰り返し実行する。一方、時期判定部１１９により充放電判定時期が到来したと判定されると（ステップＳ２１０１：Ｙｅｓ）、残量判定部２１１４は、蓄電量記憶部２１３２が記憶する蓄電量情報が示す蓄電装置２０８１の蓄電量Ｑ１ｒが、予め設定された蓄電量下限値Ｑ１ｒｍｉｎ以下であるか否かを判定する（ステップＳ２１０２）。ここで、残量判定部２１１４により蓄電装置２０８１の蓄電量Ｑ１ｒが蓄電量下限値Ｑ１ｒｍｉｎ以下であると判定されると（ステップＳ２１０２：Ｙｅｓ）、後述のステップＳ２１１０の処理が実行される。
【００５５】
一方、残量判定部２１１４により蓄電装置２０８１の蓄電量Ｑ１ｒが蓄電量下限値Ｑ１ｒｍｉｎよりも大きいと判定されると（ステップＳ２１０２：Ｎｏ）、電力判定部２１１５は、電力情報記憶部２１３１が記憶する系統電力情報を参照して、いわゆる買電が発生しているか否かを判定する（ステップＳ２１０３）。電力判定部２１１５が、いわゆる買電が発生していないと判定したとする（ステップＳ２１０３：Ｎｏ）。この場合、バッテリ接続判定部２１１９は、第２充放電装置２７０２から接続検出情報を取得後、解除検出情報を取得していない、即ち、バッテリ２０８２が第２充放電装置２７０２に電気的に接続されているか否かを判定する（ステップＳ２１０４）。ここで、バッテリ接続判定部２１１９が、バッテリ２０８２と第２充放電装置２７０２とが接続されていないと判定したとする（ステップＳ２１０４：Ｎｏ）。この場合、電力判定部２１１５は、電力情報記憶部２１３１が記憶する発電電力情報を参照して、発電設備４での発電電力Ｐｇが予め設定された蓄電装置２０８１の第１充電定格容量Ｐ１ｒ以上であるか否か判定する（ステップＳ２１０５）。ここで、電力判定部２１１５により発電設備４での発電電力Ｐｇが蓄電装置２０８１の第１充電定格容量Ｐ１ｒ未満であると判定されると（ステップＳ２１０５：Ｎｏ）、後述のステップＳ２１１１の処理が実行される。一方、電力判定部２１１５により発電設備４での発電電力Ｐｇが蓄電装置２０８１の第１充電定格容量Ｐ１ｒ以上であると判定されると（ステップＳ２１０５：Ｙｅｓ）、後述のステップＳ２１０９の処理が実行される。
【００５６】
また、バッテリ接続判定部２１１９が、ステップＳ２１０４において、バッテリ２０８２と第２充放電装置２７０２とが電気的に接続されていると判定したとする（ステップＳ２１０４：Ｙｅｓ）。この場合、電力判定部２１１５は、電力情報記憶部２１３１が記憶する発電電力情報を参照して、発電設備４での発電電力Ｐｇが蓄電装置２０８１の第１充電定格容量Ｐ１ｒと予め設定されたバッテリ２０８２の第２充電定格容量Ｐ２ｒとの和に相当する電力以上であるか否か判定する（ステップＳ２１０６）。ここで、電力判定部２１１５が、発電設備４での発電電力Ｐｇが蓄電装置２０８１の第１充電定格容量Ｐ１ｒとバッテリ２０８２の第２充電定格容量Ｐ２ｒとの和に相当する電力未満であると判定したとする（ステップＳ２１０６：Ｎｏ）。この場合、電力判定部２１１５は、発電設備４での発電電力Ｐｇがバッテリ２０８２の第２充電定格容量Ｐ２ｒ未満であるか否かを判定する（ステップＳ２１０７）。ここで、電力判定部２１１５が、発電設備４での発電電力Ｐｇがバッテリ２０８２の第２充電定格容量Ｐ２ｒ以上であると判定すると（ステップＳ２１０７：Ｎｏ）、指令部２１１７は、前述の停止指令情報を第１充放電装置２７０１へ送信する（ステップＳ２１０８）。このとき、第１充放電装置２７０１は、停止指令情報を受信すると、パワーコンディショナ７１の動作を停止させる。次に、再びステップＳ２１０１の処理が実行される。一方、電力判定部２１１５が、発電設備４での発電電力Ｐｇがバッテリ２０８２の第２充電定格容量Ｐ２ｒ未満であると判定すると（ステップＳ２１０７：Ｙｅｓ）、後述のステップＳ２１１１の処理が実行される。
【００５７】
また、電力判定部２１１５が、ステップＳ２１０６において、発電設備４での発電電力Ｐｇが蓄電装置２０８１の第１充電定格容量Ｐ１ｒとバッテリ２０８２の第２充電定格容量Ｐ２ｒとの和に相当する電力以上であると判定したとする（ステップＳ２１０６：Ｙｅｓ）。この場合、残量判定部２１１４は、蓄電装置２０８１の蓄電量Ｑ１ｒが蓄電量上限値Ｑ１ｒｍａｘ以下であるか否かを判定する（ステップＳ２１０９）。ここで、残量判定部２１１４が、蓄電装置２０８１の蓄電量Ｑ１ｒが蓄電量上限値Ｑ１ｒｍａｘを超えていると判定すると（ステップＳ２１０９：Ｎｏ）、ステップＳ２１０８の処理が実行される。一方、残量判定部２１１４により蓄電装置２０８１の蓄電量Ｑ１ｒが蓄電量上限値Ｑ１ｒｍａｘ以下であると判定されると（ステップＳ２１０９：Ｙｅｓ）、指令部２１１７は、第１充放電装置２７０１を充電モードで動作させるための充電指令情報を生成して第１充放電装置２７０１へ送信する（ステップＳ２１１０）。このとき、第１充放電装置２７０１は、充電指令情報を受信すると、パワーコンディショナ７１を充電モードで動作させる。これにより、第１充放電装置２７０１は、発電設備４での発電電力のみを利用して蓄電装置２０８１を充電する。続いて、再びステップＳ２１０１の処理が実行される。
【００５８】
また、電力判定部２１１５が、ステップＳ２１０３において、いわゆる買電が発生していると判定したとする（ステップＳ２１０３：Ｙｅｓ）。この場合、蓄電量割合判定部２１１６は、蓄電量割合記憶部２１３３が記憶する第１発電利用蓄電量割合情報を参照して、第１発電利用蓄電量割合Ｒ１ｇが０よりも大きいか否かを判定する（ステップＳ２１１１）。ここで、蓄電量割合判定部２１１６が、第１発電利用蓄電量割合Ｒ１ｇが０であると判定すると（ステップＳ２１１１：Ｎｏ）、前述のステップＳ２１０８の処理が実行される。一方、蓄電量割合判定部２１１６が、第１発電利用蓄電量割合Ｒ１ｇが０よりも大きいと判定すると（ステップＳ２１１１：Ｙｅｓ）、指令部２１１７は、第１充放電装置２７０１を放電モードで動作させるための放電指令情報を生成して第１充放電装置２７０１へ送信する（ステップＳ２１１２）。このとき、第１充放電装置２７０１は、放電指令情報を受信すると、パワーコンディショナ７１を放電モードで動作させる。これにより、第１充放電装置２７０１は、蓄電装置２０８１に蓄電された電気を分電盤２００５へ供給する。その後、再びステップＳ２１０１の処理が実行される。
【００５９】
次に、本実施の形態に係る充放電制御装置２００１が実行するバッテリ充放電制御処理について、図１２を参照しながら説明する。なお、このバッテリ充放電制御処理は、バッテリ接続判定部２１１９によりバッテリ２０８２と第２充放電装置２７０２とが電気的に接続されたと判定されたことを契機として開始される。また、このバッテリ充放電制御処理は、前述の蓄電装置充放電制御処理と並行して実行される。
【００６０】
まず、時期判定部１１９は、計時部１０５により計時される現時点の時刻に基づいて、前述の充放電判定時期が到来したか否かを判定する（ステップＳ２２０１）。時期判定部１１９は、充放電判定時期が到来しない限り（ステップＳ２２０１：Ｎｏ）、ステップＳ２２０１の処理を繰り返し実行する。一方、時期判定部１１９により充放電判定時期が到来したと判定されると（ステップＳ２２０１：Ｙｅｓ）、残量判定部２１１４は、蓄電量記憶部２１３２が記憶する蓄電量情報が示すバッテリ２０８２の蓄電量Ｑ２ｒが、予め設定された蓄電量下限値Ｑ２ｒｍｉｎ以下であるか否かを判定する（ステップＳ２２０２）。ここで、残量判定部２１１４によりバッテリ２０８２の蓄電量Ｑ２ｒが蓄電量下限値Ｑ２ｒｍｉｎ以下であると判定されると（ステップＳ２２０２：Ｙｅｓ）、後述のステップＳ２２０６の処理が実行される。
【００６１】
一方、残量判定部２１１４によりバッテリ２０８２の蓄電量Ｑ２ｒが蓄電量下限値Ｑ２ｒｍｉｎよりも大きいと判定されると（ステップＳ２２０２：Ｎｏ）、電力判定部２１１５は、電力情報記憶部２１３１が記憶する系統電力情報を参照して、いわゆる買電が発生しているか否かを判定する（ステップＳ２２０３）。電力判定部２１１５は、いわゆる買電が発生していないと判定すると（ステップＳ２２０３：Ｎｏ）、電力情報記憶部２１３１が記憶する発電電力情報を参照して、発電設備４での発電電力Ｐｇが前述のバッテリ２０８２の第２充電定格容量Ｐ２ｒ以上であるか否かを判定する（ステップＳ２２０４）。ここで、電力判定部２１１５が、発電設備４での発電電力Ｐｇが前述のバッテリ２０８２の第２充電定格容量Ｐ２ｒ未満であると判定すると（ステップＳ２２０４：Ｎｏ）、後述のステップＳ２２０７の処理が実行される。一方、電力判定部２１１５が、発電設備４での発電電力Ｐｇが前述のバッテリ２０８２の第２充電定格容量Ｐ２ｒ以上であると判定したとする（ステップＳ２２０４：Ｙｅｓ）。この場合、残量判定部２１１４は、バッテリ２０８２の蓄電量Ｑ２ｒが蓄電量上限値Ｑ２ｒｍａｘ以下であるか否かを判定する（ステップＳ２２０５）。残量判定部２１１４が、バッテリ２０８２の蓄電量Ｑ２ｒが蓄電量上限値Ｑ２ｒｍａｘを超えていると判定すると（ステップＳ２２０５：Ｎｏ）、後述のステップＳ２２０９の処理が実行される。一方、残量判定部２１１４によりバッテリ２０８２の蓄電量Ｑ２ｒが蓄電量上限値Ｑ２ｒｍａｘ以下であると判定されると（ステップＳ２２０５：Ｙｅｓ）、指令部２１１７は、第２充放電装置２７０２を充電モードで動作させるための充電指令情報を生成して第２充放電装置２７０２へ送信する（ステップＳ２２０６）。このとき、第２充放電装置２７０２は、充電指令情報を受信すると、パワーコンディショナ７１を充電モードで動作させる。これにより、第２充放電装置２７０２は、発電設備４での発電電力のみを利用してバッテリ２０８２を充電する。続いて、再びステップＳ２２０１の処理が実行される。
【００６２】
また、電力判定部２１１５が、ステップＳ２２０３において、いわゆる買電が発生していると判定したとする（ステップＳ２２０３：Ｙｅｓ）。この場合、残量判定部２１１４および蓄電量割合判定部２１１６は、指令記憶部２１３４が記憶する第２充放電装置２７０２に対する充電指令情報、放電指令情報等の履歴を参照して、第１充放電装置２７０１が放電モードで動作、即ち、蓄電装置２０８１が放電中であるか否かを判定する（ステップＳ２２０７）。残量判定部２１１４は、蓄電装置２０８１が放電中であると判定すると（ステップＳ２２０７：Ｙｅｓ）、前述のステップＳ２２０５の処理を実行する。一方、蓄電量割合判定部２１１６が、蓄電装置２０８１が放電していないと判定したとする（ステップＳ２２０７：Ｎｏ）。この場合、蓄電量割合判定部２１１６は、蓄電量割合記憶部２１３３が記憶する第２発電利用蓄電量割合情報を参照して、第２発電利用蓄電量割合Ｒ２ｇが０よりも大きいか否かを判定する（ステップＳ２２０８）。ここで、蓄電量割合判定部２１１６が、第２発電利用蓄電量割合Ｒ２ｇが０であると判定したとする（ステップＳ２２０８：Ｎｏ）。この場合、指令部２１１７は、第２充放電装置２７０２の動作を停止するための停止指令情報を生成して第２充放電装置２７０２へ送信する（ステップＳ２２０９）。このとき、第２充放電装置２７０２は、停止指令情報を受信すると、パワーコンディショナ７１の動作を停止させる。次に、再びステップＳ２２０１の処理が実行される。
【００６３】
一方、蓄電量割合判定部２１１６が、第２発電利用蓄電量割合Ｒ２ｇが０よりも大きいと判定すると（ステップＳ２２０８：Ｙｅｓ）、指令部２１１７は、第２充放電装置２７０２を放電モードで動作させるための放電指令情報を生成して第２充放電装置２７０２へ送信する（ステップＳ２２１０）。このとき、第２充放電装置２７０２は、放電指令情報を受信すると、パワーコンディショナ７１を放電モードで動作させる。これにより、第２充放電装置２７０２は、バッテリ２０８２に蓄電された電気を分電盤２００５へ供給する。その後、再びステップＳ２２０１の処理が実行される。
【００６４】
以上説明したように、本実施の形態に係る充放電制御装置２００１によれば、発電設備４での発電電力により蓄電装置２０８１およびバッテリ２０８２を充電する場合、バッテリ２０８２が優先的に充電されるので、バッテリ２０８２を満充電状態にし易くなる。従って、ユーザが電気自動車ＥＶ１の利用を開始する際、電気自動車ＥＶ１に搭載されたバッテリ２０８２が満充電状態となっている確率を高めることができるので、電気自動車ＥＶ１の利便性を高めることができる。また、本実施の形態に係る充放電制御装置２００１は、バッテリ２０８２を充電する際、第１発電利用蓄電量割合Ｒ１ｇが０以上の場合、蓄電装置２０８１に蓄えられた電気をバッテリ２０８２の充電に利用されるように指令情報を生成して送信する。これにより、発電設備４で発電して得られる電気をバッテリ２０８２の充電に有効に活用することができる。
【００６５】
また、本実施の形態に係る指令部２１１７は、発電設備４から建物Ｈ２へ電力が供給されている場合、発電電力が第２充電定格容量未満であるとき、蓄電装置２０８１を放電させる放電モードで第１充放電装置２７０１を動作させる第１放電指令情報を第１充放電装置２７０１へ出力する。これにより、発電設備４の発電量が小さい場合であっても蓄電装置２０８１に蓄電された電気でバッテリ２０８２を充電することができるので、バッテリ２０８２を効率良く充電することができる。
【００６６】
更に、本実施の形態に係る指令部２１１７は、発電設備４から建物Ｈ２へ電力が供給されている場合、発電電力が第２充電定格容量未満であり且つ第１充放電装置２７０１が蓄電装置２０８１の放電を回避しているとともに、バッテリ２０８２の第２発電利用蓄電量割合Ｒ２ｇが０よりも大きいとき、バッテリ２０８２を放電させる放電モードで第２充放電装置２７０２を動作させる第２放電指令情報を第２充放電装置２７０２へ送信する。これにより、発電設備４での発電電力を利用してバッテリ２０８２に蓄えられた電気を有効に活用することができる。
【００６７】
以上、本発明の各実施の形態について説明したが、本発明は前述の実施の形態によって限定されるものではない。例えば、蓄電量割合算出部１１３が、蓄電装置８についての前述の発電利用蓄電量割合と系統利用蓄電量割合とを、発電電力情報および系統電力情報のみから算出するものであってもよい。具体的には、蓄電量割合算出部１１３は、電力情報記憶部１３１から発電電力情報と系統電力情報とを取得し、発電電力情報が示す発電電力と系統電力情報が示す系統電力との和に相当する総和電力を算出する。そして、蓄電量割合算出部１１３は、発電電力情報が示す発電電力の総和電力に対する割合を、発電利用蓄電量割合として算出するようにしてもよい。また、蓄電量割合算出部１１３は、系統電力情報が示す系統電力の総和電力に対する割合を、系統利用蓄電量割合として算出するようにしてもよい。
【００６８】
本構成によれば、充放電装置７が充電モードで動作しているときに分電盤５から充放電装置７へ供給される電力を計測する必要が無くなるので、電力計測装置３の構成の簡素化を図ることができる。
【００６９】
実施の形態１では、蓄電装置８がいわゆる定置蓄電池であるものとして説明したが、これに限らず、例えば電気自動車に搭載されたバッテリであってもよい。また、実施の形態２では、充放電制御装置２００１が、定置蓄電池である蓄電装置２０８１と電気自動車ＥＶ１に搭載されたバッテリ２０８２とのそれぞれの充放電を制御する例について説明した。但し、これに限らず、例えばバッテリ２０８２の代わりに定置蓄電池が採用されたものであってもよいし、或いは、蓄電装置２０８１の代わりに可搬式のバッテリが採用されたものであってもよい。
【００７０】
また、本発明に係る充放電制御装置１、端末装置２の各種機能は、ソフトウェア、ファームウェア、またはソフトウェアとファームウェアとの組み合わせにより実現されてもよい。この場合、ソフトウェアまたはファームウェアは、プログラムとして記述され、プログラムを、フレキシブルディスク、ＣＤ−ＲＯＭ（Compact Disc Read Only Memory）、ＤＶＤ（Digital Versatile Disc）およびＭＯ（Magneto-Optical Disc）等のコンピュータ読み取り可能な記録媒体に格納して配布し、そのプログラムをコンピュータに読み込んでインストールすることにより、前述の各機能を実現することができるコンピュータを構成してもよい。そして、各機能をＯＳ（Operating System）とアプリケーションとの分担、またはＯＳとアプリケーションとの協働により実現する場合等には、ＯＳ以外の部分のみを記録媒体に格納してもよい。
【００７１】
さらに、搬送波に各プログラムを重畳し、通信ネットワークを介して配信することも可能である。例えば、通信ネットワーク上の掲示板（BBS，Bulletin Board System）に当該プログラムを掲示し、ネットワークを介して当該プログラムを配信してもよい。そして、これらのプログラムを起動し、ＯＳの制御下で、他のアプリケーションプログラムと同様に実行することにより、前述の処理を実行できるように構成してもよい。
【００７２】
本発明は、本発明の広義の精神と範囲を逸脱することなく、様々な実施形態及び変形が可能とされるものである。また、上述した実施形態は、この発明を説明するためのものであり、本発明の範囲を限定するものではない。すなわち、本発明の範囲は、実施形態ではなく、特許請求の範囲によって示される。そして、特許請求の範囲内及びそれと同等の発明の意義の範囲内で施される様々な変形が、この発明の範囲内とみなされる。
【産業上の利用可能性】
【００７３】
本発明は、発電設備での発電電力により定置蓄電池または電気自動車に搭載されたバッテリを充放電する充放電システムとして好適である。
【符号の説明】
【００７４】
１，２００１  充放電制御装置、２  端末装置、３  電力計測装置、４  発電設備、５，２００５  分電盤、６  電気機器、７  充放電装置、８，２０８１  蓄電装置、７１  パワーコンデョショナ、７２  電圧検出部、７３  蓄電量算出部、１００  系統電源、１０１，２０１  ＣＰＵ、１０２，２０２  主記憶部、１０３，２０３  補助記憶部、１０４，２０６  通信インタフェース、１０５  計時部、１０９，２０９  バス、１１１  電力取得部、１１２，２１１２  蓄電量取得部、１１３  蓄電量割合算出部、１１４  残量判定部、１１５  電力判定部、１１６  蓄電量割合判定部、１１７  指令部、１１８  蓄電量割合情報送信部、１１９  時期判定部、１３１  電力情報記憶部、１３２  蓄電量記憶部、１３３，２３２  蓄電量割合記憶部、１３４，２１３４  指令記憶部、２０４  表示部、２０５  入力部、２１１  受付部、２１２  表示制御部、２１３  蓄電量割合取得部、２３１  画像記憶部、２０７４  接続判定部、２０８２  バッテリ、２０８３  アダプタ、２７０１  第１充放電装置、２７０２  第２充放電装置、Ａ１，Ａ２  領域、ＣＴ１，ＣＴ２，ＣＴ４，ＣＴ４１，ＣＴ４２  変流器、Ｄ１，Ｄ２，Ｄ３，Ｄ４，Ｄ５，Ｄ４１，Ｄ４２，Ｄ５１，Ｄ５２  電力線、ＥＶ１  電気自動車、ＧＡ１  操作画面画像、ＧＡＢ  オブジェクト画像、Ｈ１，Ｈ２  建物、ＮＷ１  宅内ネットワーク、Ｍ１，Ｍ２  メッセージ、
【図１】
2021038683.tif 000003
【図２】
2021038683.tif 000004
【図３】
2021038683.tif 000005
【図４】
2021038683.tif 000006
【図５Ａ】
2021038683.tif 000007
【図５Ｂ】
2021038683.tif 000008
【図６】
2021038683.tif 000009
【図７】
2021038683.tif 000010
【図８】
2021038683.tif 000011
【図９】
2021038683.tif 000012
【図１０】
2021038683.tif 000013
【図１１】
2021038683.tif 000014
【図１２】
2021038683.tif 000015
【手続補正書】
【提出日】令和3年8月23日(2021.8.23)
【手続補正１】
【補正対象書類名】明細書
【補正対象項目名】０００６
【補正方法】変更
【補正の内容】
【０００６】
上記目的を達成するため、本発明に係る制御装置は、
発電設備で発電される発電電力と系統電源から供給される系統電力との少なくとも一方を少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置を制御する充放電制御装置であって、
前記発電電力を示す発電電力情報と前記系統電力を示す系統電力情報とを取得する電力取得部と、
前記少なくとも１つの蓄電装置それぞれの蓄電量を示す蓄電量情報を取得する蓄電量取得部と、
前記電力取得部が取得した前記発電電力情報と前記系統電力情報とに基づいて、前記少なくとも１つの蓄電装置について前記発電電力を利用して蓄えられた電気の発電利用蓄電量割合を算出する蓄電量割合算出部と、
前記発電利用蓄電量割合および前記系統電源から前記電力消費地へ供給される電力に基づいて、前記充放電装置を前記放電モードで動作させるための放電指令情報を前記充放電装置へ出力する指令部と、を備える。
【手続補正２】
【補正対象書類名】明細書
【補正対象項目名】０００７
【補正方法】変更
【補正の内容】
【０００７】
本発明によれば、蓄電量割合算出部が、発電電力情報と系統電力情報とに基づいて、少なくとも１つの蓄電装置それぞれについて発電電力を利用して蓄えられた電気の割合である発電利用蓄電量割合を算出する。そして、指令部が、算出された発電利用蓄電量割合および系統電源から電力消費地へ供給される電力に基づいて、放電指令情報を充放電装置へ出力する。これにより、例えば指令部が少なくとも１つの蓄電装置それぞれについて発電利用蓄電量割合が０よりも大きい場合、放電指令情報を充放電装置へ出力することにより少なくとも１つの蓄電装置を放電させることで、発電設備で発電して得られる電気を優先的に活用することができる。そして、発電設備で発電して得られる電気を優先的に活用することにより、系統電源から電力消費地へ供給される電力を削減できる。
【手続補正３】
【補正対象書類名】特許請求の範囲
【補正対象項目名】全文
【補正方法】変更
【補正の内容】
【特許請求の範囲】
【請求項１】
発電設備で発電される発電電力と系統電源から供給される系統電力との少なくとも一方を少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置を制御する充放電制御装置であって、
前記発電電力を示す発電電力情報と前記系統電力を示す系統電力情報とを取得する電力取得部と、
前記少なくとも１つの蓄電装置それぞれの蓄電量を示す蓄電量情報を取得する蓄電量取得部と、
前記電力取得部が取得した前記発電電力情報と前記系統電力情報とに基づいて、前記少なくとも１つの蓄電装置について前記発電電力を利用して蓄えられた電気の発電利用蓄電量割合を算出する蓄電量割合算出部と、
前記発電利用蓄電量割合および前記系統電源から前記電力消費地へ供給される電力に基づいて、前記充放電装置を前記放電モードで動作させるための放電指令情報を前記充放電装置へ出力する指令部と、を備える、
充放電制御装置。
【請求項２】
前記指令部は、前記系統電源から前記電力消費地へ電力が供給され且つ前記少なくとも１つの蓄電装置の前記発電利用蓄電量割合が０よりも大きい場合、前記放電指令情報を前記充放電装置へ出力する、
請求項１に記載の充放電制御装置。
【請求項３】
前記指令部は、前記発電利用蓄電量割合に基づいて、前記充放電装置を前記充電モードで動作させるための充電指令情報を前記充放電装置へ出力する、
請求項１または２に記載の充放電制御装置。
【請求項４】
前記指令部は、前記発電設備から前記電力消費地へ電力が供給されている場合、前記充電指令情報を前記充放電装置へ出力する、
請求項３に記載の充放電制御装置。
【請求項５】
前記指令部は、前記発電利用蓄電量割合に基づいて、前記充放電装置を停止させるための停止指令情報を前記充放電装置へ出力する、
請求項１から４のいずれか１項に記載の充放電制御装置。
【請求項６】
前記少なくとも１つの蓄電装置は、第１蓄電装置と第２蓄電装置とを含み、
前記指令部は、前記系統電源から前記電力消費地へ電力が供給され且つ前記第１蓄電装置の前記発電利用蓄電量割合が０よりも大きい場合、前記第１蓄電装置を放電させる放電モードで前記充放電装置を動作させる放電指令情報を前記充放電装置へ送信し、前記系統電源から前記電力消費地へ電力が供給され且つ前記第１蓄電装置の前記発電利用蓄電量割合が０であるとともに、前記第２蓄電装置の前記発電利用蓄電量割合が０よりも大きい場合、前記第２蓄電装置を放電させる放電モードで前記充放電装置を動作させる放電指令情報を前記充放電装置へ出力する、
請求項１に記載の充放電制御装置。
【請求項７】
前記指令部は、前記発電設備から前記電力消費地へ電力が供給されている場合、前記発電電力が前記第１蓄電装置の第１充電定格容量と前記第２蓄電装置の第２充電定格容量との和以上であるとき、前記第１蓄電装置を充電する充電モードで前記充放電装置を動作させる充電指令情報を前記充放電装置へ出力する、
請求項６に記載の充放電制御装置。
【請求項８】
前記指令部は、前記発電設備から前記電力消費地へ電力が供給されている場合、前記発電電力が前記第２充電定格容量未満であるとき、前記第１蓄電装置を放電させる放電モードで前記充放電装置を動作させる放電指令情報を前記充放電装置へ出力する、
請求項７に記載の充放電制御装置。
【請求項９】
前記指令部は、前記発電設備から前記電力消費地へ電力が供給されている場合、前記発電電力が前記第２充電定格容量以上であるとき、前記第２蓄電装置を充電する充電モードで前記充放電装置を動作させる充電指令情報を前記充放電装置へ出力する、
請求項７または８に記載の充放電制御装置。
【請求項１０】
前記指令部は、前記発電設備から前記電力消費地へ電力が供給されている場合、前記発電電力が前記第２充電定格容量未満であり且つ前記充放電装置が前記第１蓄電装置の放電を回避しているとともに、前記第２蓄電装置の前記発電利用蓄電量割合が０よりも大きいとき、前記第２蓄電装置を放電させる放電モードで前記充放電装置を動作させる放電指令情報を前記充放電装置へ出力する、
請求項７から９のいずれか１項に記載の充放電制御装置。
【請求項１１】
前記少なくとも１つの蓄電装置は、電気自動車に搭載されるバッテリを含む、
請求項１から１０のいずれか１項に記載の充放電制御装置。
【請求項１２】
前記少なくとも１つの蓄電装置は、前記電力消費地に設置される定置蓄電池を含む、
請求項１から１１のいずれか１項に記載の充放電制御装置。
【請求項１３】
発電設備で発電される発電電力と系統電源から供給される系統電力との少なくとも一方を少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置と、
前記発電電力を示す発電電力情報と前記系統電力を示す系統電力情報とを取得する電力取得部と、
前記少なくとも１つの蓄電装置それぞれの蓄電量を示す蓄電量情報を取得する蓄電量取得部と、
前記電力取得部が取得した前記発電電力情報と前記系統電力情報とに基づいて、前記少なくとも１つの蓄電装置について前記発電電力を利用して蓄えられた電気の発電利用蓄電量割合を算出する蓄電量割合算出部と、
前記発電利用蓄電量割合および前記系統電源から前記電力消費地へ供給される電力に基づいて、前記充放電装置を前記放電モードで動作させるための放電指令情報を前記充放電装置へ出力する指令部と、を備える、
充放電システム。
【請求項１４】
表示部を有する端末装置を更に備え、
前記端末装置は、
前記蓄電量割合算出部が算出した前記発電利用蓄電量割合を示す発電利用蓄電量割合情報を取得する蓄電量割合取得部と、
前記発電利用蓄電量割合情報を前記表示部に表示させる表示制御部と、を有する、
請求項１３に記載の充放電システム。
【請求項１５】
発電設備で発電される発電電力と系統電源から供給される系統電力との少なくとも一方を少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置を制御する充放電制御方法であって、
前記発電電力を示す発電電力情報と前記系統電力を示す系統電力情報とを取得するステップと、
前記少なくとも１つの蓄電装置それぞれの蓄電量を示す蓄電量情報を取得するステップと、
取得した前記発電電力情報と前記系統電力情報とに基づいて、前記少なくとも１つの蓄電装置について前記発電電力を利用して蓄えられた電気の発電利用蓄電量割合を算出するステップと、
前記発電利用蓄電量割合および前記系統電源から前記電力消費地へ供給される電力に基づいて、前記充放電装置を前記放電モードで動作させるための放電指令情報を前記充放電装置へ出力するステップと、を含む、
充放電制御方法。
【請求項１６】
コンピュータを、
発電設備で発電される発電電力を示す発電電力情報と系統電源から供給される系統電力を示す系統電力情報とを取得する電力取得部、
少なくとも１つの蓄電装置それぞれの蓄電量を示す蓄電量情報を取得する蓄電量取得部、
前記電力取得部が取得した前記発電電力情報と前記系統電力情報とに基づいて、前記少なくとも１つの蓄電装置について前記発電電力を利用して蓄えられた電気の発電利用蓄電量割合を算出する蓄電量割合算出部、
前記発電利用蓄電量割合および前記系統電源から電力消費地へ供給される電力に基づいて、前記発電電力と前記系統電力との少なくとも一方を前記少なくとも１つの蓄電装置へ供給することにより前記少なくとも１つの蓄電装置を充電する充電モードと、前記少なくとも１つの蓄電装置を放電させて電力消費地へ電力を供給する放電モードと、のいずれかの動作モードで動作する充放電装置を、前記放電モードで動作させるための放電指令情報を前記充放電装置へ出力する指令部、
として機能させるためのプログラム。
【国際調査報告】
2021038683.tif 000016
2021038683.tif 000017
2021038683.tif 000018
2021038683.tif 000019